(57)【要約】【課題】スライドショー形式で複数の画像を逐次切り換え表示する際に、画像内の一部分であるターゲットが徐々に飛び出して来るような感覚のスライドショー効果を実現できるようにする。【解決手段】画像再生装置は、撮影画像の内容を解析することによって人物の顔部分を注目対象とするターゲット範囲ＴＧとして認識すると共に、このターゲット範囲ＴＧ内に目の位置を指標位置ＰＴとして特定し、この指標位置ＰＴに向かって当該画像の切り出し範囲ＴＧを徐々に狭めながらデジタルズーム処理を施すごとに、ターゲット範囲ＴＧ内の画像部分を徐々にズームアップ表示する再生動作を繰り返した後、次ぎの画像に切り換え表示する。【選択図】  図２
2005354333.tif 000002
【特許請求の範囲】
【請求項１】
スライドショー形式で複数の画像を逐次切り換え表示する画像再生装置であって、
画像内容を解析することによって当該画像の一部分を注目対象とするターゲット範囲として認識するターゲット認識手段と、
このターゲット認識手段によって認識されたターゲット範囲内の所定位置を指標位置として特定する位置特定手段と、
この位置特定手段によって特定された指標位置に向かって当該画像の切り出し範囲を徐々に狭めながらデジタルズーム処理を施すごとに、前記ターゲット範囲内の画像部分を徐々にズームアップ表示する再生動作を繰り返した後、次ぎの画像に切り換え表示する表示制御手段と、
を具備したことを特徴とする画像再生装置。
【請求項２】
前記表示制御手段は、ターゲット範囲内の指標位置に向かって画像の切り出し範囲を徐々に狭める際に、この切り出し範囲の画像サイズを測定すると共に、この画像サイズが予め決められているズームアップ限度値に達するまでズームアップ再生動作を繰り返す、
ようにしたことを特徴とする請求項1記載の画像再生装置。
【請求項３】
前記表示制御手段は、前記ズームアップ限度値に達するまで前記ターゲット範囲内の画像部分を徐々にズームアップ表示する再生動作を繰り返した後、当該画像の切り出し範囲を徐々に広げながらズームダウン表示を繰り返す、
ようにしたことを特徴とする請求項２記載の画像再生装置。
【請求項４】
前記表示制御手段は、画像の切り出し範囲を徐々に広げる際に、この切り出し範囲の画像サイズを測定すると共に、この画像サイズが元画像のサイズに達するまでズームダウン表示を繰り返した後に、次ぎの画像に切り換え表示する、
ようにしたことを特徴とする請求項３記載の画像再生装置。
【請求項５】
スライドショー形式で複数の画像を逐次切り換え表示する画像再生装置であって、
画像内容を解析することによって当該画像の一部分を注目対象とするターゲット範囲として認識するターゲット認識手段と、
このターゲット認識手段によって認識されたターゲット範囲内の所定位置を指標位置として特定する位置特定手段と、
この位置特定手段によって特定された指標位置に向かって当該画像の注目範囲を徐々に狭めながら当該注目範囲の外側全体の画像部分を不可視状態に加工する加工処理を施すと共に、この加工処理を施すごとに当該画像全体を順次表示する再生動作を繰り返した後、次ぎの画像に切り換え表示する表示制御手段と、
を具備したことを特徴とする画像再生装置。
【請求項６】
前記注目範囲の外側全体の画像部分を不可視状態に加工する加工処理は、モザイク処理、ぼかし処理、マスキング処理のうち、少なくとも何れかの処理であることを特徴とする請求項５記載の画像再生装置。
【請求項７】
前記表示制御手段は、前記ターゲット範囲に達するまで前記注目範囲を徐々に狭める、
ようにしたことを特徴とする請求項５記載の画像再生装置。
【請求項８】
スライドショー形式で複数の画像を逐次切り換え表示する画像再生装置であって、
画像内容を解析することによって当該画像の一部分を注目対象とするターゲット範囲として認識するターゲット認識手段と、
このターゲット認識手段によって認識されたターゲット範囲内の画像部分を切り出す画像切り出し手段と、
この画像切り出し手段によって切り出された画像部分を拡大すると共に、この拡大画像を元の画像に重ね合わせて再表示した後、次ぎの画像に切り換え表示する表示制御手段と、
を具備したことを特徴とする画像再生装置。
【請求項９】
前記画像切り出し手段は、ターゲット範囲内の画像部分を切り出した際に、この切り出し位置を特定し、
前記表示制御手段は、切り出し画像部分を元の画像内の前記特定位置に重ね合わせて再表示する、
ようにしたことを特徴とする請求項８記載の画像再生装置。
【請求項１０】
前記ターゲット認識手段によって複数のターゲット範囲が認識された場合、各ターゲットごとに切り出し画像部分を拡大すると共に、この拡大画像を元の画像内に重ね合わせて再表示する動作をターゲット数分順次繰り返す、
ようにしたことを特徴とする請求項８記載の画像再生装置。
【請求項１１】
前記ターゲット認識手段は、画像内容を解析することによって当該画像内に含まれている所定被写体を認識した際に、この被写体部分を注目対象とするターゲット範囲として認識する、
ようにしたことを特徴とする請求項1、５、８の何れか記載の画像再生装置。
【請求項１２】
前記ターゲット認識手段は、画像内に含まれている複数の被写体を認識した際には、この中で最大サイズの被写体部分をターゲット範囲として認識する、
ようにしたことを特徴とする請求項１1記載の画像再生装置。
【請求項１３】
前記ターゲット認識手段は、画像内に含まれている複数の被写体を認識した際には、当該画像の中央部に位置している被写体部分をターゲット範囲として認識する、
ようにしたことを特徴とする請求項１１記載の画像再生装置。
【請求項１４】
前記ターゲット認識手段は、画像内の所定被写体を認識する際に、予め登録されているオブジェクト画像に特徴的に一致する画像部分を所定被写体として認識する、
ようにしたことを特徴とする請求項１１記載の画像再生装置。
【請求項１５】
前記ターゲット認識手段は、画像内に含まれている複数の被写体を認識した際には、この複数の被写体部分が含まれる範囲全体をターゲット範囲として認識する、
ようにしたことを特徴とする請求項１１記載の画像再生装置。
【請求項１６】
前記ターゲット認識手段によってターゲット範囲を認識することができなかった場合には、予め決められているスライドショー効果を当該画像に対して固定的に付与する、
ようにしたことを特徴とする請求項1、５、８の何れか記載の画像再生装置。
【請求項１７】
コンピュータに対して、
スライドショー形式で複数の画像を逐次切り換え表示する場合に、画像内容を解析することによって当該画像の一部分を注目対象とするターゲット範囲として認識する機能と、
認識されたターゲット範囲内の所定位置を指標位置として特定する機能と、
特定された指標位置に向かって当該画像の切り出し範囲を徐々に狭めながらデジタルズーム処理を施すごとに、前記ターゲット範囲内の画像部分を徐々にズームアップ表示する再生動作を繰り返した後、次ぎの画像に切り換え表示する機能と、
を実現させるためのプログラム。
【請求項１８】
コンピュータに対して、
スライドショー形式で複数の画像を逐次切り換え表示する場合に、画像内容を解析することによって当該画像の一部分を注目対象とするターゲット範囲として認識する機能と、
認識されたターゲット範囲内の所定位置を指標位置として特定する機能と、
特定された指標位置に向かって当該画像の注目範囲を徐々に狭めながら当該注目範囲の外側全体の画像部分を不可視状態に加工する加工処理を施すと共に、この加工処理を施すごとに当該画像全体を順次表示する再生動作を繰り返した後、次ぎの画像に切り換え表示する機能と、
を実現させるためのプログラム。
【請求項１９】
コンピュータに対して、
スライドショー形式で複数の画像を逐次切り換え表示する場合に、画像内容を解析することによって当該画像の一部分を注目対象とするターゲット範囲として認識する機能と、
認識されたターゲット範囲内の画像部分を切り出す機能と、
切り出された画像部分を拡大すると共に、この拡大画像を元の画像に重ね合わせて再表示した後、次ぎの画像に切り換え表示する機能と、
を実現させるためのプログラム。
【発明の詳細な説明】
【技術分野】
【０００１】
この発明は、スライドショー形式で複数の画像を逐次切り換え表示する画像再生装置およびプログラムに関する。
【背景技術】
【０００２】
一般に、スライドショー形式で複数の画像を逐次切り換え表示する場合、たとえば、次ぎの画像の切り換え時に現在の画像を徐々に消していくワイプ効果を付与したり、徐々にモザイク効果を付与するようにしている。また、１枚の画像表示時には、画像分割、画像拡大を行ったり、画像全体を波のように動かすようにしている。この場合、予め決められているプログラムに応じて画像全体にスライドショー効果を固定的に付与するようにしている。
【０００３】
ところで、従来、スライドショー形式で複数の画像を逐次切り換え表示する技術としては、複数の画像をそのタイトル別にソートしてスライドショー形式で画像表示を行うようにした画像再生装置が知られている（特許文献１参照）。また、複数の画像を類似度に応じてソートしてスライドショー形式で画像表示を行うようにした画像データ逐次表示装置が知られている（特許文献２参照）。さらに、複数の画像をその複雑度に応じて表示時間を長くしてスライドショー形式で画像表示を行うようにしたデジタル画像の表示方法が知られている（特許文献３参照）。
【特許文献１】特開平１１−３４４７７１号公報
【特許文献２】特開２０００−０６７０５７号公報
【特許文献３】特開２００４−０７８９２７号公報
【発明の開示】
【発明が解決しようとする課題】
【０００４】
しかしながら、上述した特許文献１、２の技術にあっては、複数の画像を逐次切り換え表示する際に、画像表示する順番を決定するものであり、表示順に応じたスライドショー効果しか得ることができない。また、特許文献３の技術にあっては、複数の画像を逐次切り換え表示する際に、この画像内容に応じて表示時間を変更するものであり、表示時間に応じたスライドショー効果しか得ることができない。
【０００５】
第１の発明の課題は、スライドショー形式で複数の画像を逐次切り換え表示する際に、画像内の一部分であるターゲットが徐々に飛び出して来るような感覚のスライドショー効果を実現できるようにすることである。
【０００６】
第２の発明の課題は、スライドショー形式で複数の画像を逐次切り換え表示する際に、画像内の一部分であるターゲットに吸い込まれるような感覚のスライドショー効果を実現できるようにすることである。
【０００７】
第３の発明の課題は、スライドショー形式で複数の画像を逐次切り換え表示する際に、画像全体を見せながらその一部分であるターゲットに注目を向けさせるようなスライドショー効果を実現できるようにすることである。
【課題を解決するための手段】
【０００８】
請求項１記載の発明（第１の発明）は、スライドショー形式で複数の画像を逐次切り換え表示する画像再生装置であって、画像内容を解析することによって当該画像の一部分を注目対象とするターゲット範囲として認識するターゲット認識手段と、このターゲット認識手段によって認識されたターゲット範囲内の所定位置を指標位置として特定する位置特定手段と、この位置特定手段によって特定された指標位置に向かって当該画像の切り出し範囲を徐々に狭めながらデジタルズーム処理を施すごとに、前記ターゲット範囲内の画像部分を徐々にズームアップ表示する再生動作を繰り返した後、次ぎの画像に切り換え表示する表示制御手段とを具備したことを特徴とする。
さらに、コンピュータに対して、上述した請求項１記載の発明に示した主要機能を実現させるためのプログラムを提供する（請求項１７記載の発明）。
【０００９】
なお、請求項１記載の発明は次ぎのようなものであってもよい。
前記表示制御手段は、ターゲット範囲内の指標位置に向かって画像の切り出し範囲を徐々に狭める際に、この切り出し範囲の画像サイズを測定すると共に、この画像サイズが予め決められているズームアップ限度値に達するまでズームアップ再生動作を繰り返す（請求項２記載の発明）。
【００１０】
前記表示制御手段は、前記ズームアップ限度値に達するまで前記ターゲット範囲内の画像部分を徐々にズームアップ表示する再生動作を繰り返した後、当該画像の切り出し範囲を徐々に広げながらズームダウン表示を繰り返す（請求項３記載の発明）。
この場合、前記表示制御手段は、画像の切り出し範囲を徐々に広げる際に、この切り出し範囲の画像サイズを測定すると共に、この画像サイズが元画像のサイズに達するまでズームダウン表示を繰り返した後に、次ぎの画像に切り換え表示するようにしてもよい（請求項４記載の発明）。
【００１１】
前記ターゲット認識手段は、画像内容を解析することによって当該画像内に含まれている所定被写体を認識した際に、この被写体部分を注目対象とするターゲット範囲として認識する（請求項１１記載の発明）。
この場合、前記ターゲット認識手段は、画像内に含まれている複数の被写体を認識した際には、この中で最大サイズの被写体部分をターゲット範囲として認識するようにしてもよい（請求項１２記載の発明）。
【００１２】
また、前記ターゲット認識手段は、画像内に含まれている複数の被写体を認識した際には、当該画像の中央部に位置している被写体部分をターゲット範囲として認識するようにしてもよく、(請求項１３記載の発明）、また、前記ターゲット認識手段は、画像内の所定被写体を認識する際に、予め登録されているオブジェクト画像に特徴的に一致する画像部分を所定被写体として認識するようにしてもよい（請求項１４記載の発明）。さらに、前記ターゲット認識手段は、画像内に含まれている複数の被写体を認識した際には、この複数の被写体部分が含まれる範囲全体をターゲット範囲として認識するようにしてもよい（請求項１５記載の発明）。
【００１３】
前記ターゲット認識手段によってターゲット範囲を認識することができなかった場合には、予め決められているスライドショー効果を当該画像に対して固定的に付与する（請求項１６記載の発明）。
【００１４】
請求項５記載の発明（第２の発明）は、スライドショー形式で複数の画像を逐次切り換え表示する画像再生装置であって、画像内容を解析することによって当該画像の一部分を注目対象とするターゲット範囲として認識するターゲット認識手段と、このターゲット認識手段によって認識されたターゲット範囲内の所定位置を指標位置として特定する位置特定手段と、この位置特定手段によって特定された指標位置に向かって当該画像の注目範囲を徐々に狭めながら当該注目範囲の外側全体の画像部分を不可視状態に加工する加工処理を施すと共に、この加工処理を施すごとに当該画像全体を順次表示する再生動作を繰り返した後、次ぎの画像に切り換え表示する表示制御手段とを具備したことを特徴とする。
さらに、コンピュータに対して、上述した請求項５記載の発明に示した主要機能を実現させるためのプログラムを提供する（請求項１８記載の発明）。
【００１５】
なお、請求項５記載の発明は次ぎのようなものであってもよい。
前記注目範囲の外側全体の画像部分を不可視状態に加工する加工処理は、モザイク処理、ぼかし処理、マスキング処理のうち、少なくとも何れかの処理である（請求項６記載の発明）。
【００１６】
前記表示制御手段は、前記ターゲット範囲に達するまで前記注目範囲を徐々に狭める(請求項７記載の発明）。
その他、請求項５記載の発明（第２の発明）は、上述した請求項１１〜１６記載の発明であってもよい。
【００１７】
請求項８記載の発明（第３の発明）は、スライドショー形式で複数の画像を逐次切り換え表示する画像再生装置であって、画像内容を解析することによって当該画像の一部分を注目対象とするターゲット範囲として認識するターゲット認識手段と、このターゲット認識手段によって認識されたターゲット範囲内の画像部分を切り出す画像切り出し手段と、この画像切り出し手段によって切り出された画像部分を拡大すると共に、この拡大画像を元の画像に重ね合わせて再表示した後、次ぎの画像に切り換え表示する表示制御手段とを具備したことを特徴とする。
さらに、コンピュータに対して、上述した請求項８記載の発明に示した主要機能を実現させるためのプログラムを提供する（請求項１９記載の発明）。
【００１８】
なお、請求項８記載の発明は次ぎのようなものであってもよい。
前記画像切り出し手段は、ターゲット範囲内の画像部分を切り出した際に、この切り出し位置を特定し、前記表示制御手段は、切り出し画像部分を元の画像内の前記特定位置に重ね合わせて再表示する(請求項９記載の発明)。
【００１９】
前記ターゲット認識手段によって複数のターゲット範囲が認識された場合、各ターゲットごとに切り出し画像部分を拡大すると共に、この拡大画像を元の画像内に重ね合わせて再表示する動作をターゲット数分順次繰り返す(請求項１０記載の発明)。
その他、請求項８記載の発明（第３の発明）は、上述した請求項１１〜１６記載の発明であってもよい。
【発明の効果】
【００２０】
請求項１記載の発明（第１の発明）によれば、画像内容を解析することによって当該画像の一部分を注目対象とするターゲット範囲として認識すると共に、このターゲット範囲内の所定位置を指標位置として特定し、この指標位置に向かって当該画像の切り出し範囲を徐々に狭めながらデジタルズーム処理を施すごとに、ターゲット範囲内の画像部分を徐々にズームアップ表示する再生動作を繰り返した後、次ぎの画像に切り換え表示するようにしたから、ターゲット範囲内の画像部分を徐々にズームアップしながら当該画像部分に注目を向けさせることができる。したがって、画像内の一部分(ターゲット)が徐々に飛び出して来るような感覚のスライドショー効果を実現することができるほか、画像内容に応じた効果的な表示が可能となる。
【００２１】
請求項２記載の発明によれば、上述した請求項１記載の発明と同様の効果を有する他、ターゲット範囲内の指標位置に向かって画像の切り出し範囲を徐々に狭める際に、この切り出し範囲の画像サイズを測定すると共に、この画像サイズが予め決められているズームアップ限度値に達するまでズームアップ再生動作を繰り返すようにしたから、たとえば、切り出し前の元画像サイズあるいはターゲット範囲が小さい場合に、ターゲット範囲まで切り出し範囲を狭めて、この切り出し範囲を全画面(フル画面)サイズに拡大すると、画素が粗過ぎて画像全体がボケてしまい、表示品質を損なう結果となりかねないため、その前の段階でズームアップを強制的に停止させることによって常に鮮明なターゲット表示が可能となる。
【００２２】
請求項３記載の発明によれば、上述した請求項１記載の発明と同様の効果を有する他、ズームアップ限度値に達するまでターゲット範囲内の画像部分を徐々にズームアップ表示する再生動作を繰り返した後、当該画像の切り出し範囲を徐々に広げながらズームダウン表示を繰り返すようにしたから、ターゲット範囲内の画像部分を徐々にズームアップした後、徐々にズームダウンすることができ、動的変化に富んだ注意喚起力の高いスライドショー効果を実現することができる。
【００２３】
この場合、画像の切り出し範囲を徐々に広げる際に、この切り出し範囲の画像サイズを測定すると共に、この画像サイズが元画像のサイズに達するまでズームダウン表示を繰り返した後に、次ぎの画像に切り換え表示するようにしたから(請求項４記載の発明)、ズームアップ表示後は、徐々に元画像のサイズまで復帰させることができ、画像切り換えが自然なものとなる。
【００２４】
請求項１１記載の発明によれば、上述した請求項１記載の発明と同様の効果を有する他、画像内容を解析することによって当該画像内に含まれている所定被写体を認識した際に、この被写体部分を注目対象とするターゲット範囲として認識するようにしたから、たとえば、人物を写した写真であれば、この人物部分をターゲット範囲として認識することができる。ここで、前記位置特定手段は、人物部分の目の位置を指標位置として特定すればよい。
【００２５】
この場合、画像内に含まれている複数の被写体を認識した際には、この中で最大サイズの被写体部分をターゲット範囲として認識したり（請求項１２記載の発明）、画像内に含まれている複数の被写体を認識した際には、当該画像の中央部に位置している被写体部分をターゲット範囲として認識するようにしたから(請求項１３記載の発明）、たとえば、撮影対象の人物以外の人も一緒に写してしまったような場合でも、撮影対象の人物をターゲットとして認識することができる。
【００２６】
また、画像内の所定被写体を認識する際に、予め登録されているオブジェクト画像に特徴的に一致する画像部分を所定被写体として認識するようにしたから（請求項１４記載の発明）、被写体認識を正確に行うことができると共に、たとえば、家族、友人などにターゲットを絞り込むことができる。さらに、画像内に含まれている複数の被写体を認識した際には、この複数の被写体部分が含まれる範囲全体をターゲット範囲として認識するようにしたから（請求項１５記載の発明）、たとえば、集合写真の場合は、その全体をターゲット範囲として認識することができる。
【００２７】
請求項１６記載の発明によれば、上述した請求項１記載の発明と同様の効果を有する他、ターゲット範囲を認識することができなかった場合には、予め決められているスライドショー効果を当該画像に対して固定的に付与するようにしたから、画像内にターゲットが含まれているか否かに基づいてスライドショー効果の内容を変化させることができると共に、通常状態からターゲットが出現した際に、このターゲットがズームアップ表示されるため、一層、注意喚起力が高くなる。
【００２８】
請求項５記載の発明（第２の発明）によれば、画像内容を解析することによって当該画像の一部分を注目対象とするターゲット範囲として認識すると共に、このターゲット範囲内の所定位置を指標位置として特定し、この指標位置に向かって当該画像の注目範囲を徐々に狭めながら当該注目範囲の外側全体の画像部分を不可視状態に加工する加工処理を施すと共に、この加工処理を施すごとに当該画像全体を順次表示する再生動作を繰り返した後、次ぎの画像に切り換え表示するようにしたから、注目範囲を徐々に狭めながらターゲット範囲内の画像部分に注目を徐々に向けさせることができる。したがって、画像内の一部分(ターゲット)に吸い込まれるような感覚のスライドショー効果を実現することができるほか、画像内容に応じた効果的な表示が可能となる。
【００２９】
この場合、注目範囲の外側全体の画像部分を不可視状態に加工する加工処理は、モザイク処理、ぼかし処理、マスキング処理のうち、少なくとも何れかの処理であってもよく(請求項６記載の発明)、また、ターゲット範囲に達するまで注目範囲を徐々に狭めるようにしてもよい(請求項６記載の発明)。その他、請求項５記載の発明（第２の発明）においても、上述した請求項１１〜１６記載の発明と同様の効果を有する。
【００３０】
請求項８記載の発明（第３の発明）によれば、画像内容を解析することによって当該画像の一部分を注目対象とするターゲット範囲として認識し、このターゲット範囲内の画像部分を切り出して当該画像部分を拡大すると共に、この拡大画像を元の画像に重ね合わせて再表示した後、次ぎの画像に切り換え表示するようにしたから、画像全体を見せながらターゲットに注目を向けさせるようなスライドショー効果を実現することができると共に、画像内容に応じた効果的な表示が可能となる。
なお、具体例としては、画像内の人物の顔部分を拡大した拡大画像を生成し、この拡大画像を元画像に重ね合わせるようにすれば、画像全体を見せながら人物の顔部分に注目を向けさせることができる。
【００３１】
請求項９記載の発明によれば、上述した請求項８記載の発明と同様の効果を有する他、ターゲット範囲内の画像部分を切り出した際に、この切り出し位置を特定し、切り出し画像部分を元の画像内の特定位置に重ね合わせて再表示するようにしたから、元の画像全体と切り出し画像部分との位置関係を崩すことなく、ターゲットに注目を向けさせることができる。
【００３２】
請求項１０記載の発明によれば、上述した請求項８記載の発明と同様の効果を有する他、複数のターゲット範囲が認識された場合、各ターゲットごとに切り出し画像部分を拡大すると共に、この拡大画像を元の画像内に重ね合わせて再表示する動作をターゲット数分順次繰り返すようにしたから、複数のターゲットに順次注目を向けさせることができる。
その他、請求項８記載の発明（第３の発明）においても、上述した請求項１１〜１６記載の発明と同様の効果を有する。
【発明を実施するための最良の形態】
【００３３】
（実施例１）
以下、図１〜図６を参照して本発明の第１実施例を説明する。
図１は、この実施例における画像再生装置の全体構成の概要を示したブロック図である。
この画像再生装置は、デジタルカメラ、テレビジョン受像機、プロジェクターあるいはデジタルカメラから外部供給された撮影画像を再生表示する情報処理装置などであり、スライドショー形式で複数の画像を逐次切り換え表示するスライドショー機能を有している。このスライドショー機能は、画像の切り換え時に通常のワイプ、モザイクなどを施すほか、この実施例においては、画像内の一部分であるターゲットが徐々に飛び出して来るような感覚のスライドショー効果を施すようにしている。
【００３４】
すなわち、このスライドショー機能は、カメラ撮影された複数の撮影画像がスライドショー効果を付与する対象画像として任意に選択されている状態において、画像表示時に、この画像内容を解析することによって当該画像内に含まれている人物部分を注目対象とするターゲット範囲として認識すると共に、このターゲット範囲内における人物の目の位置を指標位置として特定し、この指標位置に向かって当該画像の切り出し範囲を徐々に狭めながらデジタルズーム処理を施すごとに、ターゲット範囲内の画像部分を徐々にズームアップ表示する再生動作を繰り返した後、次画像に切り換え表示するようにしている。
なお、この実施例の特徴部分を詳述する前に、この実施例のハードウェア上の構成について以下、説明しておく。
【００３５】
ＣＰＵ１は、記憶部２内のオペレーティングシステム、各種アプリケーションソフトに応じてこの画像再生装置の全体動作を制御する中央演算処理装置である。記憶部２は、プログラム領域とデータ領域とを有し、磁気的メモリ、光学的メモリ、半導体メモリ等の他、その駆動系を有する構成となっている。この記憶部２内のプログラム領域には、後述する図４〜図６に示す動作手順に応じて本実施例を実現するためのアプリケーションプログラムが格納されている。なお、記憶部２は、ハードディスク等の固定メモリの他、ＣＤ−ＲＯＭ、ＤＶＤ等の着脱自在な記憶媒体であってもよい。この記憶部２内のプログラムやデータは、必要に応じてＲＡＭ（例えば、スタティックＲＡＭ）３にロードされたり、このＲＡＭ３内のデータが記憶部２にセーブされる。なお、ＲＡＭ３は、プログラム実行領域と作業領域とを有している。
【００３６】
さらに、ＣＰＵ１は、通信装置４を介して他の電子機器側のプログラム／データを直接アクセスしたり、通信装置４を介してダウンロード受信することもできる。一方、ＣＰＵ１には、その入出力周辺デバイスである通信装置４、入力装置５、表示装置６がバスラインを介して接続されており、入出力プログラムに応じてＣＰＵ１は、これらの入出力デバイスの動作制御を行う。入力装置５は、キーボード、タッチパネルのほか、マウス、タッチ入力ペン等のポインティングデバイスを構成する操作部であり、文字列データ、各種コマンドの入力を行う。表示装置６は、フルカラー表示を行う液晶表示装置、ＣＲＴ表示装置、プラズマ表示装置等である。
【００３７】
図２は、画像の切り換え時におけるスライドショー機能の処理過程を説明するための図である。
このスライドショー機能は、観察者に対して画像内の人物の顔部分が徐々に飛び出して来るような感覚を与えるもので、図２(Ａ)は、スライドショー表示の対象画像として選択された複数の対象画像(静止画)のうち、人物を撮影した１枚分の画像で、スライドショー効果を付与する前の元画像である。なお、画像の縦横比は通常の「３：４」となっている。ＣＰＵ1は、この撮影画像の内容を解析することによって人物の顔部分を注目対象とするターゲット範囲として認識すると共に、このターゲット範囲内の所定位置を指標位置として特定するようにしている。ここで、人物の顔部分を認識する際には、予め登録されているオブジェクト画像を参照し、このオブジェクト画像に特徴的に一致する画像部分を人物の顔部分として認識するようにしている。なお、オブジェクト画像は、人物の顔部分を認識するための参照画像であり、顔の全体形状、各構成要素などの画像である。
【００３８】
図２(Ｂ)において、図中、破線で囲んだ矩形の部分ＴＧは、人物の顔部分をターゲット範囲として認識した領域を示し、また、縦横の罫線(破線)が交差する位置ＰＴは、ターゲット範囲内において指標位置として特定した人物の目の中心位置を示している。この場合、ＣＰＵ１は、ターゲット範囲ＴＧの画像サイズ(顔のサイズ)を測定すると共に、指標位置ＰＴの位置(目の位置)を測定するが、顔のサイズは、縦横の画素数として特定し、目の位置は、縦比、横比で特定するようにしている。なお、図示の例では、目の位置を示す縦比は、Ｖ１：Ｖ２＝３：２、横比は、Ｈ１：Ｈ２＝２：１となっている。
【００３９】
図２(Ｃ)は、上述のようにして特定された眼の位置(指標位置ＰＴ)に向かって当該画像の切り出し範囲を徐々に狭める場合の様子を示した図である。
この場合、ターゲット範囲ＴＧ (顔部分)内の指標位置ＰＴ (目の位置)に向かって画像の切り出し範囲を１段階ごとに徐々に狭めながらデジタルズーム処理を施すようにしている。なお、図中、ターゲット範囲ＴＧの周囲に記した矩形の破線は、１段階ごとに狭められた切り出し範囲を示し、ＣＰＵ１は、この範囲内の画像部分を元画像から切り出してフル画面サイズに変更して表示出力させる。図２(Ｄ)は、切り出し範囲内の画像部分をフル画面サイズで表示した状態を例示し、図２(Ｅ)は、切り出し範囲をさらに１段階、狭めてフル画面サイズで表示した状態を例示している。なお、フル画面サイズとは、表示装置６における有効表示領域の全範囲を示している。
【００４０】
このように目の位置に向かって画像の切り出し範囲を徐々に狭めながらデジタルズーム処理を施す場合において、この切り出し範囲の画像サイズを測定すると共に、この画像サイズが予め決められているズームアップ限度値に達するまでズームアップを繰り返すようにしている。すなわち、元画像のサイズあるいはターゲット範囲が小さい場合に、ターゲット範囲まで切り出し範囲を狭め、この切り出し範囲をフル画面サイズに拡大すると、画素が粗過ぎてしまうため、その前の段階でズームアップを強制的に停止させるようにしている。また、ターゲットをズームアップ表示した後は、切り出し範囲を徐々に広げながらその範囲が元画像サイズに達するまでズームダウン処理を繰り返すようにしている。つまり、ターゲットを徐々にズームダウンしながら元の画像に戻すようにしている。
【００４１】
図３は、画像内に複数の人物が写っている場合に、ターゲット範囲ＴＧおよび指標位置ＰＴをどのようにして特定するかを示すと共に、複数人物のズームアップ表示を例示した図である。
すなわち、所定サイズ以上の複数の顔部分が写っている場合、複数の被写体部分が含まれる範囲全体をターゲット範囲として認識するようにしている。この場合、図３(Ａ)に示すように、元画像内に写っている各人物の顔部分を順次に照準を合わせ、その画像サイズを順次測定した結果、その３人の顔部分が所定サイズ以上であれば、図３(Ｂ)に示すように、３人の顔部分が全て収まる最小範囲をターゲット範囲ＴＧとして特定すると共に、当該各顔部分の中間位置を指標位置ＰＴとして特定する。図３(Ｃ)は、このターゲット範囲ＴＧ内の画像部分をズームアップした場合の表示例を示している。
【００４２】
次ぎに、この第１実施例における画像再生装置の動作概念を図４〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００４３】
図４〜図６は、スライドショー機能がオンされた際に実行開始される動作を示したフローチャートである。
先ず、ＣＰＵ１は、電子写真アルバムあるいは画像フォルダなどの中からスライドショー形式で複数の画像を逐次切り換え表示するための対象画像を任意に選択させるために、電子写真アルバムあるいは画像フォルダなどに記録保存されている撮影画像群を一覧表示(サムネイル表示)させ、その中から任意に選択指定された複数の画像をスライドショーの対象画像として取得する(ステップＡ１)。そして、この複数の対象画像を逐次切り換えるために任意に入力されたタイマ時間を設定した後(ステップＡ２)、スライドショーの開始が指示されるまで待機状態となる(ステップＡ３)。
【００４４】
いま、スライドショーの開始が指示された際には、スライドショーの対象画像として選択された複数の画像の中からその選択順に応じてその先頭の対象画像を読み出し(ステップＡ４)、この読み出し画像を表示装置６のフル画面サイズに変更(拡大／縮小)して表示出力させる(ステップＡ５)。この状態において、タイマをスタートさせた後(ステップＡ６)、この読み出し画像内の被写体部分と予め登録されているオブジェクト画像とを比較しながら人物の顔部分を認識する(ステップＡ７)。
【００４５】
この際、人物がほぼ正面に向いており、その顔と目を認識するようにしている。この結果、人物の顔部分と目の部分を認識することができたか否かを判別し(ステップＡ８)、画像内に人物の顔部分と目の部分が含まれていなければ (ステップＡ８でＮＯ)、次ぎの対象画像の有無をチェックする(ステップＡ９)。ここで、次ぎの画像が有れば、タイマ設定時間が経過するまで待機した後(ステップＡ１０)、通常のスライドショー効果(たとえば、ワイプ、モザイクなど)を当該画像に対して施す(ステップＡ１１)。以下、全ての対象画像を読み出すまでステップＡ４に戻って上述の動作を繰り返す。
【００４６】
読み出し画像を解析した結果、人物の顔部分を認識することができた場合には(ステップＡ８でＹＥＳ)、この画像内に写っている人物は１人か否かを調べ(ステップＡ１２)、１人であれば、当該人物の顔部分をターゲット範囲として特定するが(ステップＡ１３)、人物が複数であれば、所定サイズ以上の複数の顔部分が写っているかを調べ(ステップＡ１７)、所定サイズ以上の顔部分が１つであれば、その中から最大サイズの顔部分をターゲット範囲として特定する(ステップＡ１８)。
【００４７】
そして、このターゲット範囲内の目の位置を指標位置として特定すると共に、元画像内においてターゲット範囲の画像サイズ(顔のサイズ)を測定する(ステップＡ１４)。なお、上述したように、顔のサイズは、縦横の画素数として測定される。また、元画像内における目の位置の縦比、横比を測定することによって当該位置を特定する(ステップＡ１５)。その後、タイマ設定時間が経過するまで待機した後(ステップＡ１６)、図５のステップＡ２１以降に移り、本実施例特有のスライドショー効果を付加する処理を開始する。
【００４８】
先ず、図２(Ｃ)に示したように、元画像をその縦比で１段階だけ狭めた領域を切り出し範囲として指定する(ステップＡ２１)。そして、切り出し範囲の画像サイズ(縦横画素数)を測定し(ステップＡ２２)、切り出し範囲の画像サイズとターゲット範囲の画像サイズ(顔サイズ)とを比較し、顔サイズ以上であれば(ステップＡ２３でＹＥＳ)、この切り出し範囲の画像サイズとズームアップ限度値(下限画像サイズ)とを比較し、下限画像サイズを超えていれば(ステップＡ２４でＹＥＳ)、当該切り出し範囲内の画像部分をフル画面サイズに変更(拡大／縮小)して表示出力させる(ステップＡ２５)。これによって切り出し範囲内の画像部分が１段階だけズームアップ表示される。そして、ズームアップの間隔設定時間(たとえば、１秒間)が経過するまでズームアップ表示を一時停止させた後に(ステップＡ２６)、現在の切り出し範囲を元画像の縦比で１段階だけ狭めた領域を新たな切り出し範囲として指定し(ステップＡ２７)、以下、ステップＡ２２に戻って上述のズームアップ処理を繰り返す。
【００４９】
このようにして1段階ごとにズームアップ処理を繰り返している途中において、切り出し範囲が顔サイズにほぼ達した際(ステップＡ２３でＮＯ)あるいは下限画像サイズにほぼ達した際には(ステップＡ２４でＮＯ)、ズームアップ処理を停止した後、これに引き続いてズームダウン処理の実行に移る。先ず、現在の切り出し範囲を元画像の縦比で１段階だけ広げた領域を新たな切り出し範囲として指定する(ステップＡ２８)。そして、この新たな切り出し範囲内の画像部分をフル画面サイズに変更(拡大／縮小)して表示出力させる(ステップＡ２９)。これによって切り出し範囲内の画像部分が１段階だけズームダウン表示される。
【００５０】
そして、ズームダウンの間隔設定時間(たとえば、１秒間)が経過するまでズームダウン表示を一時停止させた後に(ステップＡ３０)、切り出し範囲の画像サイズを測定し、元画像サイズに達したか否かを調べ(ステップＡ３１)、元画像サイズに達するまでステップＡ２９に戻り、切り出し範囲を１段階ごとに広げながらズームダウン処理を繰り返す。これによって切り出し範囲が元画像サイズに達した場合には、次ぎの対象画像の有無を調べ(ステップＡ３２)、次画像が無ければ、スライドショー機能をオフして処理終了となるが、次ぎの対象画像が有れば、図４のステップＡ４に戻り。次ぎの対象画像を読み出す。
【００５１】
一方、撮影画像内に所定サイズ以上の複数の顔部分が含まれている場合には(図４のステップＡ１７でＹＥＳ)、図６のステップＡ４１に移り、所定サイズ以上の各顔部分を特定する。そして、撮影画像内において各人物の顔部分の位置を検出して、それらの中間位置を指標位置ＰＴとして特定すると共に(ステップＡ４２)、各人物の顔部分が全て収まる最小の画像領域をターゲット範囲ＴＧとして特定する(ステップＡ４３)。この最小画像領域の画像サイズ(縦横画素数)を求めると共に(ステップＡ４４)、元画像内における指標位置の縦比、横比を求める(ステップＡ４５)。その後、タイマ設定時間が経過するまで待機した後(ステップＡ４６)、元画像をその縦横比で１段階だけ狭めた領域を切り出し範囲として指定する(ステップＡ４７)。
【００５２】
この切り出し範囲の画像サイズ(縦横画素数)を測定し(ステップＡ４８)、この切り出し範囲の画像サイズと最小画像領域(ターゲット範囲)の画像サイズ(縦横画素数)とを比較することによって、この切り出し範囲は、ターゲット範囲のサイズに比べて大きいか否かを調べ(ステップＡ４９)、大きいければ、切り出し範囲内の画像部分をフル画面サイズに変更(拡大／縮小)して表示出力させる(ステップＡ５０)。これによって切り出し範囲内の画像部分が１段階だけズームアップ表示される。
【００５３】
そして、ズームアップの間隔設定時間(たとえば、１秒間)が経過するまでズームアップ表示を一時停止させた後(ステップＡ５１)、現在の切り出し範囲を元画像の縦比で１段階だけ狭めた領域を新たな切り出し範囲として指定する(ステップＡ５２)。以下、ステップＡ４８に戻って上述のズームアップ処理を繰り返す。このようにして1段階ごとにズームアップ処理を繰り返している途中において、切り出し範囲がターゲット範囲の画像サイズにほぼ達した場合には(ステップＡ４９でＮＯ)、次ぎの対象画像の有無を調べ(ステップＡ５３)、次画像が無ければ、スライドショー機能をオフして処理終了となるが、次ぎの対象画像が有れば、図４のステップＡ４に戻り。次ぎの対象画像を読み出す。
【００５４】
以上のように、この第１実施例の画像再生装置においてＣＰＵ1は、撮影画像の内容を解析することによって人物の顔部分を注目対象とするターゲット範囲ＴＧとして認識すると共に、このターゲット範囲ＴＧ内に目の位置を指標位置ＰＴとして特定し、この指標位置ＰＴに向かって当該画像の切り出し範囲ＴＧを徐々に狭めながらデジタルズーム処理を施すごとに、ターゲット範囲ＴＧ内の画像部分を徐々にズームアップ表示する再生動作を繰り返した後、次ぎの画像に切り換え表示するようにしたから、ターゲット範囲内の画像部分を徐々にズームアップしながら当該画像部分に注目を向けさせることができる。したがって、画像内の一部分(ターゲット)が徐々に飛び出して来るような感覚のスライドショー効果を実現することができるほか、画像内容に応じた効果的な表示が可能となる。
【００５５】
ターゲット範囲ＴＧ内の指標位置ＰＴに向かって画像の切り出し範囲を徐々に狭める際に、ＣＰＵ１は、この切り出し範囲の画像サイズを測定すると共に、この画像サイズが予め決められているズームアップ限度値に達するまでズームアップ再生動作を繰り返すようにしたから、たとえば、元画像のサイズあるいはターゲット範囲が小さい場合に、ターゲット範囲まで切り出し範囲を狭めて、この切り出し範囲をフル画面サイズに拡大すると、画素が粗過ぎて画像全体がボケてしまい、表示品質を損なう結果となりかねないため、その前の段階でズームアップ表示を強制停止させることによって常に鮮明なターゲット表示が可能となる。
【００５６】
この場合、ズームアップ限度値に達するまでターゲット範囲内の画像部分を徐々にズームアップ表示する再生動作を繰り返した後、当該画像の切り出し範囲を徐々に広げながらズームダウン表示を繰り返すようにしたから、ターゲット範囲内の画像部分を徐々にズームアップした後、徐々にズームダウンすることができ、動的変化に富んだ注意喚起力の高いスライドショー効果を実現することができる。
また、画像の切り出し範囲を徐々に広げる際に、この切り出し範囲の画像サイズを測定すると共に、この画像サイズが元画像のサイズに達するまでズームダウン表示を繰り返した後に、次ぎの画像に切り換え表示するようにしたから、ズームアップ表示後は、徐々に元画像のサイズまで復帰させることができ、画像切り換えが自然なものとなる。
【００５７】
また、撮影画像内の人物の顔部分を認識する際に、予め登録されているオブジェクト画像に特徴的に一致する画像部分を人物の顔部分として認識するようにしたから、被写体認識を正確に行うことができる。ここで、撮影画像内に複数の顔部分が写っている場合、所定サイズ以上の顔部分が１つであれば、その中から最大サイズの顔部分をターゲット範囲として特定するようにしたから、たとえば、撮影対象の人物以外の人も一緒に写してしまったような場合でも、撮影対象の人物をターゲットとして認識することができる。
また、所定サイズ以上の複数の顔部分が含まれている場合には、この複数の顔部分が含まれる範囲全体をターゲット範囲として認識するようにしたから、たとえば、集合写真の場合は、その全体をターゲット範囲として認識することができる。
【００５８】
また、撮影画像内に人物の顔部分が含まれておらず、ターゲット範囲を認識することができなかった場合には、予め決められている通常のスライドショー効果(たとえば、ワイプ)を当該画像に対して固定的に付与するようにしたから、画像内に人物の顔部分が含まれているか否かに基づいてスライドショー効果の内容を変化させることができると共に、通常状態からターゲットが出現した際に、このターゲットがズームアップ表示されるため、一層、注意喚起力が高くなる。
【００５９】
上述した第１実施例においては、人物の顔部分を徐々にズームアップする際に、顔部分の最大サイズをフル画面サイズとしたが、たとえば、３段階アップあるいは４段階アップまでを最大サイズとするようにしてもよい。
第１実施例においては、人物の顔部分を徐々にズームアップ表示した後にズームダウン表示を行うようにしたが、ズームアップ表示後、通常のモザイク、ワイプなどのスライドショー効果を行うようにしてもよい。
【００６０】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、スライドショー形式で複数の画像を逐次切り換え表示する場合に、画像内容を解析することによって当該画像の一部分を注目対象とするターゲット範囲として認識する機能と、認識されたターゲット範囲内の所定位置を指標位置として特定する機能と、特定された指標位置に向かって当該画像の切り出し範囲を徐々に狭めながらデジタルズーム処理を施すごとに、前記ターゲット範囲内の画像部分を徐々にズームアップ表示する再生動作を繰り返した後、次ぎの画像に切り換え表示する機能とを実現させるためのプログラムを記録したコンピュータが読み取り可能な記録媒体を提供するようにしてもよい。
（実施例２）
【００６１】
以下、この発明の第２実施例について図７および図８を参照して説明する。
なお、上述した第１実施例においては、人物の顔部分を徐々にズームアップ表示することによって画像の一部分である顔部分(ターゲット)が徐々に飛び出して来るような感覚のスライドショー効果を付与するようにしたが、この第２実施例においては、画像の一部分である人物の顔部分(ターゲット)に吸い込まれるような感覚のスライドショー効果を付与するようにしたものである。すなわち、閲覧者に注意を向けさせる領域を徐々に狭めることによって人物の顔部分を注視させるようにしたものである。
ここで、両実施例において基本的あるいは名称的に同一のものは、同一符号を付して示し、その説明を省略すると共に、以下、第２実施例の特徴部分を中心に説明するものとする。
【００６２】
図７は、第２実施例のスライドショー効果を説明するための図である。
図７(Ａ)は、上述した第１実施例と同様、画像解析で人物の顔部分をターゲット範囲ＴＧとして認識すると共に、この人物の目の位置を指標位置ＰＴとして特定した状態を示している。図７(Ｂ)は、指標位置ＰＴに向かって画像を１段階だけ狭めた範囲を注目範囲として指定し、この注目範囲の外側全体にモザイク効果を付与することによって、注目範囲外の画像部分を不可視状態に加工する加工処理を施した際の表示状態を示し、また、図７(Ｃ)は、注目範囲を数段階、狭めたときの表示状態を示している。なお、注目範囲とは、閲覧者に注意を向けさせる領域を示している。
【００６３】
図８は、この第２実施例の特徴部分を示すフローチャートであり、上述した図４〜図６のうち、図５に代わるフローチャートであり、図４、図６は、上述した第１実施例と同様であるため、以下、図８を参照して、この第２実施例の特徴部分を説明するものとする。
先ず、上述した第１実施例のように、画像解析で人物の顔部分をターゲット範囲ＴＧとして認識すると共に、この人物の目の位置を指標位置ＰＴとして特定した状態において、ＣＰＵ１は、元画像をその縦比で１段階だけ狭めた領域を注目範囲として指定する(ステップＢ１)。そして、この注目範囲の外側全体にモザイク効果を付与した後に当該画像全体を再表示させる(ステップＢ２)。
【００６４】
その後、たとえば、１秒間が経過するまで画像表示を一時停止させた後に(ステップＢ３)、現在の注目範囲を元画像の縦比でさらに１段階だけ狭めた領域を新たな注目範囲として指定する(ステップＢ４)。次ぎに、この注目範囲の画像サイズ(縦横画素数)を測定し、この画像サイズとターゲット範囲の画像サイズ(顔サイズ)とを比較し、注目範囲が顔サイズに比べて大きければ(ステップＢ５でＹＥＳ)、この注目範囲の外側全体にモザイク効果を付与して当該画像全体を再表示させる(ステップＢ２)。以下、注目範囲が顔サイズにほぼ達するまで上述の動作を繰り返す。この結果、注目範囲が顔サイズに達した場合には、次ぎの対象画像の有無を調べ(ステップＢ６)、無ければ、スライドショー機能をオフして処理終了となるが、次ぎの対象画像が有れば、図４のステップＡ４に戻り。次ぎの対象画像を読み出す。
【００６５】
以上のように、この第２実施例の画像再生装置においてＣＰＵ1は、撮影画像の内容を解析することによって人物の顔部分を注目対象とするターゲット範囲として認識すると共に、このターゲット範囲内に目の位置を指標位置として特定し、この指標位置に向かって当該画像の注目範囲を徐々に狭めながら当該注目範囲の外側全体の画像部分を不可視状態に加工するモザイク処理を施すと共に、このモザイク処理を施すごとに当該画像全体を順次表示する再生動作を繰り返した後、次ぎの画像に切り換え表示するようにしたから、注目範囲を徐々に狭めながらターゲット範囲内の画像部分に注目を徐々に向けさせることができる。したがって、画像内の一部分(ターゲット)に吸い込まれるような感覚のスライドショー効果を実現することができるほか、画像内容に応じた効果的な表示が可能となる。
この場合、注目範囲がターゲット範囲(顔サイズ)に達するまでを注目範囲を徐々に狭めるようにしたから、モザイク加工する領域を１段階ごとに拡大しても、人物の顔部分までも覆い隠されることはない。その他、基本的には上述した第１実施例と同様の効果を有する。
【００６６】
なお、上述した第２実施例においては、注目範囲の外側全体にモザイク効果を付与するようにしたが、注目範囲の外側全体の画像部分を不可視状態に加工する加工処理としては、ぼかし処理、マスキング処理などであってもよい。
また、上述した第２実施例においては、ターゲット範囲に達するまで注目範囲を徐々に狭めた後に、次ぎの画像に切り換え表示するようにしたが、上述した第１実施例のように、注目範囲がターゲット範囲に達した後、注目範囲が元画像のサイズとなるまで注目範囲を１段階ごとに広げるようにしていもよい。
【００６７】
また、コンピュータが読み取り可能なプログラムコードを有する記録媒体であって、スライドショー形式で複数の画像を逐次切り換え表示する場合に、画像内容を解析することによって当該画像の一部分を注目対象とするターゲット範囲として認識する機能と、認識されたターゲット範囲内の所定位置を指標位置として特定する機能と、特定された指標位置に向かって当該画像の注目範囲を徐々に狭めながら当該注目範囲の外側全体の画像部分を不可視状態に加工する加工処理を施すと共に、この加工処理を施すごとに当該画像全体を順次表示する再生動作を繰り返した後に、次ぎの画像に切り換え表示する機能とを実現させるためのプログラムを記録したコンピュータが読み取り可能な記録媒体を提供するようにしてもよい。
（実施例３）
【００６８】
以下、この発明の第３実施例について図９、図１０を参照して説明する。
なお、上述した第１実施例においては、人物の顔部分を徐々にズームアップ表示することによって画像の一部分である顔部分が徐々に飛び出して来るような感覚のスライドショー効果を付与するようにしたが、この第３実施例においては、撮影画像内に所定サイズ以上の複数の顔部分が写されている場合に、画像全体を見せながら各人物の顔部分(複数のターゲット)に順次注目を向けさせるようなスライドショー効果を付与するようにしたものである。すなわち、人物の顔部分を拡大した拡大画像を生成し、この拡大画像を元画像の当該顔位置に重ね合わせるようにしたものである。
ここで、両実施例において基本的あるいは名称的に同一のものは、同一符号を付して示し、その説明を省略すると共に、以下、第３実施例の特徴部分を中心に説明するものとする。
【００６９】
図９は、第３実施例のスライドショー効果を説明するための図である。
図９(Ａ)は、撮影画像内に所定サイズ以上の複数の顔部分が写されている場合において、各人物の顔部分の位置を特定すると共に、各人物の顔部分の範囲を特定した状態を示している。図９(Ｂ)は、複数の人物の中から１番目の人物に着目し、この顔部分を切り出して拡大した後に、元の位置に当該拡大画像を重ね合わせて再表示した状態を示している。また、図９(Ｃ)は、２番目の人物に着目し、その顔部分の拡大画像を元の位置に再表示した状態を示し、図９(Ｄ)は、３番目の人物に着目し、その顔部分の拡大画像を元の位置に再表示した状態を示している。
【００７０】
図１０は、この第３実施例の特徴部分を示すフローチャートであり、上述した図４〜図６のうち、図６に代わるフローチャートであり、図４、図５は、上述した第１実施例と同様であるため、以下、図１０を参照して、この第２実施例の特徴部分を説明するものとする。
先ず、上述した第１実施例のように、撮影画像内に所定サイズ以上の複数の顔部分が写されていることを認識した場合に、ＣＰＵ１は、所定サイズ以上の各顔部分を特定した後に(ステップＣ１)、各顔部分ごとに、画像上の位置を特定すると共に、各顔部分の領域を拡大対象範囲として特定する(ステップＣ２)。そして、当該画像の中央部に近い順に各顔部分に順番を付けた後(ステップＣ３)、タイマ設定時間が経過するまで待機する(ステップＣ４)。
【００７１】
ここで、タイマ設定時間が経過すると、上述のように順序付けした各顔部分の中から１番目の顔部分を切り出し(ステップＣ５)、この切り出し領域を所定の表示サイズに拡大すると共に、この拡大画像を元の顔位置に重ね合わせて当該画像全体を再表示させる(ステップＣ６)。この状態で所定時間(たとえば、５秒間)が経過するまで待機した後(ステップＣ７)、重ね合わせ表示(拡大画像)を消去する(ステップＣ８)。そして、未表示の顔部分の有無をチェックするが(ステップＣ９)、最初は、１番目の顔画像を重ね合わせ表示した場合であるから、次ぎに、２番目の顔部分を切り出し(ステップＣ５)、この顔部分を拡大して元の顔位置に重ね合わせ表示させる(ステップＣ６)。以下、同様に、３番目の顔部分を重ね合わせ表示させる。このようにして全ての顔部分を順次指定しながら重ね合わせ表示を行った後は(ステップＣ９でＮＯ)、次ぎの対象画像の有無を調べ(ステップＣ１０)、無ければ、スライドショー機能をオフして処理終了となるが、次ぎの対象画像が有れば、図４のステップＡ４に戻り。次ぎの対象画像を読み出す。
【００７２】
以上のように、この第３実施例の画像再生装置においてＣＰＵ1は、撮影画像の内容を解析することによって当該画像内の顔部分を注目対象とするターゲット範囲として認識し、このターゲット範囲内の顔部分を切り出して拡大すると共に、この拡大画像を元の画像に重ね合わせて当該画像全体を再表示した後、次ぎの画像に切り換え表示するようにしたから、画像全体を見せながらターゲット(顔部分)に注目を向けさせるようなスライドショー効果を実現することができると共に、スライドショー効果を画像内容に応じて施すことができる。
【００７３】
この場合、ターゲット範囲内の顔部分を切り出した際に、この切り出し位置を特定し、切り出し画像部分を元の画像内の位置に重ね合わせて再表示するようにしたから、元の画像と切り出し画像部分との位置関係を崩すことなく、顔部分に注目を向けさせることができる。
また、所定サイズ以上の複数の顔部分が写っている場合、各顔部分ごとに切り出し画像部分を拡大すると共に、この拡大画像を元の画像に重ね合わせて再表示する動作を人数分順次繰り返すようにしたから、複数の人物に順次注目を向けさせることができる。その他、この第３実施例においても、基本的には上述した第１実施例と同様の効果を有する。
【００７４】
なお、上述した第３実施例においては、画像内から顔部分を切り出して拡大して元の位置に再表示するようにしたが、上述した第１実施例と同様、切り出し範囲を徐々にズームアップしながら重ね合わせ表示するようにしてもよい。
また、顔部分を拡大する際に、その拡大サイズについては言及しなかったが、一律のサイズに拡大するほかに、たとえば、元の顔部分を２倍に拡大するようにしてもよい。
【００７５】
また、コンピュータが読み取り可能なプログラムコードを有する記録媒体であって、スライドショー形式で複数の画像を逐次切り換え表示する場合に、画像内容を解析することによって当該画像の一部分を注目対象とするターゲット範囲として認識する機能と、認識されたターゲット範囲内の画像部分を切り出す機能と、切り出された画像部分を拡大すると共に、この拡大画像を元の画像に重ね合わせて再表示した後、次ぎの画像に切り換え表示する機能とを実現させるためのプログラムを記録したコンピュータが読み取り可能な記録媒体を提供するようにしてもよい。
【００７６】
その他、上述した第１〜第３実施例においては、次ぎの画像に切り換える直前に現在の画像に対して特殊なスライドショー効果を付与するようにしたが、画像が切り換えられた際に、その冒頭で特殊なスライドショー効果を付与するようにしてもよい。すなわち、第１〜第３実施例で示した特殊なスライドショー効果をどのタイミングで付与するかは、任意である。
第１〜第３実施例においては、人物の顔部分を対象としてスライドショー制御を行うようにしたが、画像内に写っている人物全体を対象としてスライドショー制御を行うようにしてもよい。
【００７７】
また、撮影画像の内容を解析することによって、人物の顔部分を注目対象とするターゲット範囲として認識すると共に、このターゲット範囲内に目の位置を指標位置として特定するようにしたが、画像の中央部に位置している被写体部分をターゲットとして認識するようにしてもよい。
上述した第１〜第３実施例においては、次画像の切り換えは、予め任意に設定したタイマ時間が経過するごとに自動的に行うようにしたが、オペレータの指示によって画像切り換えを行うようにしてもよい。
【００７８】
上述した第１〜第３実施例においては、人物の顔部分に関するオブジェクト画像を登録するようにしたが、たとえば、家族、友人の画像を被写体認識用の参照画像として登録するようにすれば、所望する人物をターゲットとすることができる。また、人物に限らず、ペット、建物などの任意の被写体を対象としてもよい。
【００７９】
さらに、会社等における商談会、報告会、審議会などのビジネスミーティング時において、書画情報を写した複数の画像をプロジェクターでスクリーン上に切り換え表示する際に、所定の書画情報(テキスト、図形、画像など)をターゲットとして、それにスライドショー効果を付与するようにしてもよい。この場合、所定の書画情報をターゲット認識用の参照画像として、予め任意に登録するようにしてもよい。
【図面の簡単な説明】
【００８０】
【図１】画像再生装置の全体構成の概要を示したブロック図。
【図２】(Ａ)〜(Ｅ)は、画像の切り換え時におけるスライドショー機能の処理過程を説明するための図。
【図３】(Ａ)〜(Ｃ)は、画像内に複数の人物が写っている場合に、ターゲット範囲ＴＧおよび指標位置ＰＴをどのようにして特定するかを示すと共に、複数人物のズームアップ表示を例示した図。
【図４】スライドショー機能がオンされた際に実行開始される動作を示したフローチャート。
【図５】図４に続く、スライドショー機能の動作を示したフローチャート。
【図６】図４に続く、スライドショー機能の動作を示したフローチャート。
【図７】(Ａ)〜(Ｃ)は、第２実施例のスライドショー効果を説明するための図。
【図８】第２実施例の特徴部分であるスライドショー制御を示したフローチャート。
【図９】第３実施例のスライドショー効果を説明するための図。
【図１０】第３実施例の特徴部分であるスライドショー制御を示したフローチャート。
【符号の説明】
【００８１】
１  ＣＰＵ
２  記憶部
４  通信装置
５  入力装置
６  表示装置
ＴＧ  ターゲット範囲
ＰＴ  指標位置
【図１】
2005354333.tif 000003
【図２】
2005354333.tif 000004
【図３】
2005354333.tif 000005
【図４】
2005354333.tif 000006
【図５】
2005354333.tif 000007
【図６】
2005354333.tif 000008
【図７】
2005354333.tif 000009
【図８】
2005354333.tif 000010
【図９】
2005354333.tif 000011
【図１０】
2005354333.tif 000012